(57)【要約】【課題】無線通信により生体情報測定器から生体情報測定を取得する際に、登録されたデバイス名をもとに目的の生体情報測定器を容易に特定することができる生体情報収集システムを提供する。【解決手段】生体情報を測定する生体情報測定器１１０と、前記生体情報測定器１１０が測定した生体情報を収集する携帯型データ収集器１２０と、で構成される生体情報収集システムにおいて、前記生体情報測定器１１０は、前記携帯型データ収集器１２０からデバイス名変更コマンドを受信すると、この生体情報測定器１１０のデバイス名を設定するデバイス名変更部１１５を備え、測定した生体情報と変更したデバイス名とを関連付けて前記携帯型データ収集器１２０に送信する構成とした。【選択図】図１
2010069193.tif 000002
【特許請求の範囲】
【請求項１】
生体情報を測定する生体情報測定器と、
前記生体情報測定器が測定した生体情報を収集する携帯型データ収集器と、で構成される生体情報収集システムにおいて、
前記生体情報測定器は、前記携帯型データ収集器からデバイス名変更コマンドを受信すると、この生体情報測定器のデバイス名を設定するデバイス名変更部を備え、
測定した生体情報と変更したデバイス名とを関連付けて前記携帯型データ収集器に送信する構成とした生体情報収集システム。
【請求項２】
前記生体情報測定器は、
前記携帯型データ収集器と無線通信する第一の無線通信部と、
生体情報を測定して前記第一の無線通信部に出力する生体情報測定部と、
前記生体情報測定器に個別に割り振られた無線通信用の識別アドレスを保持して前記第一の無線通信部に出力する識別アドレス保持部と、
前記デバイス名変更部によって変更されたデバイス名を保持して、保持したデバイス名を前記第一の無線通信部に出力するデバイス名保持部と、
無線通信で取得したコマンドを解析して前記生体情報測定部と前記デバイス名変更部とを制御する測定器制御部と、
を更に備えた請求項１に記載の生体情報収集システム。
【請求項３】
前記携帯型データ収集器は、
前記生体情報測定器と無線通信する第二の無線通信部と、
この第二の無線通信部が受信したデータから前記デバイス名と識別アドレスとを取得し、これら前記デバイス名と前記識別アドレスを用いて過去に無線通信を確立したことがあるか否かを判断すると共に、前記デバイス名が前記生体情報測定器に固有に割り振られた初期デバイス名であるか否かを判断するデータ収集器制御部と、
このデータ収集器制御部から送られてくる前記デバイス名と前記識別アドレスとを関連付けて管理するデバイス名管理部と、
前記データ収集器制御部から指示されると、前記第二の無線通信部が受信した前記生体情報を前記生体情報測定器のデバイス名と関連付けて管理するデータ管理部と
前記データ収集器制御部によって、前記デバイス名が初期デバイス名であると判断されると、前記デバイス名変更部にデバイス名を変更させる前記デバイス名変更コマンドを生成して前記第二の無線通信部に出力するコマンド生成部と、
前記データ収集器制御部と前記コマンド生成部への指示を外部から入力可能な構成としたユーザ入力部と、
を備えた請求項１に記載の生体情報収集システム。
【請求項４】
前記コマンド生成部は、
前記生体情報測定器のデバイス名を前記ユーザ入力部の入力に基づいて形成されたデバイス名に変更させるための前記デバイス名変更コマンドを生成するデバイス名変更コマンド生成部と、
前記生体情報測定器に対して生体情報の測定結果送信を要求する測定結果要求コマンドを生成する測定結果要求コマンド生成部と、
を備えた請求項３に記載の生体情報収集システム。
【発明の詳細な説明】
【技術分野】
【０００１】
本発明は、生体情報を測定する生体情報測定器と、この生体情報測定器が測定した生体情報の測定結果を収集する携帯型データ収集器で構成される生体情報収集システムに関する。
【背景技術】
【０００２】
現在、医療現場において患者の身近で検査をするＰＯＣＴ（Ｐｏｉｎｔ  ｏｆ  Ｃａｒｅ  Ｔｅｓｔｉｎｇ）が診断の質の向上のため重要となってきている。また、ＰＯＣＴを実施するための生体情報測定器ならびに試験片が低価格で高性能化を日々進めており、患者自身が測定器を手軽に購入可能な環境になってきている。それによって、ＰＯＣＴの中でもＳＭＢＧ（Ｓｅｌｆ−Ｍｏｎｉｔｏｒｉｎｇ  ｏｆ  Ｂｌｏｏｄ  Ｇｌｕｃｏｓｅ）に代表される自己測定が実施されるようになってきた。
【０００３】
このように、自己測定が行なわれるような環境の中で、医療現場においては患者自身が自己測定を行なった測定結果をもとに診断が行なわれる。そのため、各患者から効率良く且つ間違えることなく測定結果を収集する必要性がある。
【０００４】
そこで、データを効率良く収集するために無線通信機能を搭載した生体情報測定器が普及しつつある。それによって、看護士が無線通信機能を搭載したＰＤＡ（Ｐｅｒｓｏｎａｌ  Ｄｉｇｉｔａｌ  Ａｓｓｉｓｔａｎｔ）に代表される携帯型データ収集器を用いて、数メートル離れた位置からでも必要な生体情報測定器から測定結果を収集することが可能である。
【０００５】
このように無線通信を用いる場合は、マスターとなる携帯型データ収集器の無線通信圏内に、測定した生体情報を取得する対象となる生体情報測定器と同じ方式の無線通信を使用している機器が存在すると、その機器と携帯型データ収集器は接続してしまう。そのため、対象の機器とは異なる機器からは測定結果を収集しないような対応が必要ある。
【０００６】
そこで従来の技術として、機器毎の識別アドレスを、予め携帯型データ収集器に看護士が判断可能な名称（以降デバイス名と称す）と関連付けて登録しておいて、登録した機器と通信を行う時に、無線通信によって取得した識別アドレスから携帯型データ収集器の画面上に関連付けたデバイス名を表示するものが開示されている（例えば、特許文献１参照）。
【特許文献１】特開２００２−２８１０４１号公報
【発明の開示】
【発明が解決しようとする課題】
【０００７】
従来の技術は、複数の看護士が複数の携帯型データ収集器を使用する環境では、一つの生体情報測定器に対して携帯型データ収集器ごとに別々のデバイス名で登録されることが有る。その場合には、携帯型データ収集器を使用する看護士が入れ替わると、登録されたデバイス名をもとに目的の生体情報測定器を特定することが困難であるという課題を有していた。
【０００８】
そこで本発明は、登録されたデバイス名をもとに目的の生体情報測定器を容易に特定することができる生体情報収集システムを提供することを目的とする。
【課題を解決するための手段】
【０００９】
上述した目的を達成するために、本発明の生体情報収集システムは、生体情報を測定する生体情報測定器と、前記生体情報測定器が測定した生体情報を収集する携帯型データ収集器と、で構成される生体情報収集システムにおいて、前記生体情報測定器は、前記携帯型データ収集器からデバイス名変更コマンドを受信すると、この生体情報測定器のデバイス名を設定するデバイス名変更部を備え、測定した生体情報と変更したデバイス名とを関連付けて前記携帯型データ収集器に送信する構成としたことを特徴としたものである。
【発明の効果】
【００１０】
本発明の生体情報収集システムは、携帯型データ収集器から送信されたデバイス名に変更するデバイス名変更部を生体情報測定器に備え、各携帯型データ収集器が変更したデバイス名を登録するようにしたので、登録されたデバイス名をもとに目的の生体情報測定器を容易に特定することができる。
【発明を実施するための最良の形態】
【００１１】
以下に、本発明おける生体情報収集システムの実施の形態を図面とともに詳細に説明する。
【００１２】
(実施の形態１)
図１は、本発明の生体情報収集システムのブロック図を示したものである。図１に示すように生体情報収集システムは、生体情報測定器１１０と携帯型データ収集器１２０で構成される。更に、生体情報測定器１１０は、生体情報測定部１１１と、第一の無線通信部１１２と、識別アドレス保持部１１３と、デバイス名保持部１１４と、デバイス名変更部１１５と、測定器制御部１１６とで構成される。また、携帯型データ収集器１２０は、第二の無線通信部１２１と、デバイス名管理部１２２と、データ管理部１２３と、コマンド生成部１２４と、データ収集器制御部１２５で構成される。
【００１３】
また図２は、生体情報収集システムの概要を示した図である。図２に示す例では、３つの生体情報測定器１１０ａ〜１１０ｃと携帯型データ収集器１２０が無線通信を行う様子を示している。携帯型データ収集器１２０は、外部インターフェースとして、ユーザ入力部１２６と、表示部２２０とを備えている。また、生体情報測定器１１０ａ〜１１０ｃは、外部インターフェースとして表示部２００と、複数のボタンからなるユーザ入力部２０１とを備え、生体情報を測定するための試験片２１０を保持している。
【００１４】
本実施形態では、生体情報測定器１１０ａ〜１１０ｃとして、試験片２１０に点着された血液の血糖値を測定する血糖計に適用した例を示している。これら生体情報測定器１１０ａ〜１１０ｃは、片手で待ち運び可能な大きさでバッテリ駆動の携帯型血糖計である。
【００１５】
生体情報測定器１１０ａ〜１１０ｃの表示部２００は、セグメント方式あるいはドットマトリクス方式のいずれかを利用したディスプレイである。また、ユーザ入力部２０１は、押しボタン式のボタンであり、少なくとも表示部２００に表示されるデータを変更する機能を備えたボタンと、決定する機能を備えたボタンとで構成する。
【００１６】
生体情報測定部１１１は、試験片２１０に点着した血液の血糖値を測定して生体情報として出力するブロックである。生体情報測定部１１１は、ユーザが、電気化学反応を行なう使い捨て式の未使用の試験片２１０を生体情報測定器１１０に装着して、試験片２１０に血液を点着すると、生体情報測定部１１１は、試験片２１０に血液が点着された事を検知し、試験片２１０に点着された血液中の成分から血糖値を測定する。
【００１７】
図３に生体情報測定部１１１の構成を示す。生体情報測定部１１１は、コネクタ３２０と、演算増幅回路３３０と、帰還抵抗３４０と、Ａ／Ｄ（Ａｎａｌｏｇ  ｔｏ  Ｄｉｇｉｔａｌ）変換回路３５０と、演算回路３６０と、記憶手段３７０と、基準電位３８０とで構成される。また、測定に使用する試験片２１０は、使い捨て式且つ電気化学反応式であって、作用極２１１と、対極２１２と、酵素やメディエータ等からなる反応体２１３とを備えている。
【００１８】
以上のように構成された生体情報測定部１１１の動作について詳細に説明する。コネクタ３２０は、試験片２１０を挿入するための挿入口であって、電極３２１と電極３２２とを備えている。コネクタ３２０に試験片２１０が挿入されると、電極３２１が作用極２１１と接触し、電極３２２が対極２１２と接触する。コネクタ３２０に試験片２１０が挿入された状態で、ユーザが試験片２１０の反応体２１３に血液を点着する。反応体２１３に血液が点着されると、反応体２１３が血液に溶解して酵素反応が進行する。
【００１９】
次に、試験片２１０の作用極２１１に接する電極３２１と試験片の対極２１２に接する電極３２２とを介して、作用極２１１と対極２１２に電圧を印加する。電圧を印加したとき、血液中の血糖濃度と相関のある電流が帰還抵抗３４０を通して試験片２１０に流れる。演算増幅器３３０の非反転入力端子３３１は、基準電位３８０に接続されており、演算増幅器３３０は、非反転入力端子３３１と反転入力端子３３２を同電位に保とうと制御する。そのため、帰還抵抗３４０の電流による降下分の電位を基準電位３８０に加算した電圧を出力端子３３３に発生する。この作用によって試験片２１０に流れる電流に比例した電圧が出力端子３３３に発生し、電流−電圧変換を行うことができる。出力端子３３３に発生した電圧は、Ａ／Ｄ変換回路３５０によってデジタル値に変換する。そして、Ａ／Ｄ変換回路３５０は変換したデジタル値を演算回路３６０に送信する。
【００２０】
演算回路３６０は、受信したデジタル値から血液中の血糖値である血糖濃度を計算する。血糖値を計算するには、例えば次のような処理を行なう。予め低血糖濃度と高血糖濃度に相当する電流を発生する２つの定電流源をそれぞれコネクタ３２０に接続し、各Ａ／Ｄ変換値から、電流値とデジタル値の一次変換式である検量線を演算回路３６０で求めておく。その検量線の傾きａと切片ｂは、前記Ａ／Ｄ変換回路から送信されるデジタル値と血糖値とを関連付ける情報であり、この検量線を生体情報測定器内の制御用プログラムに記憶しておく。したがって、演算回路３６０は、Ａ／Ｄ変換回路３５０から受信したデジタル値を、検量線に当てはめることにより血糖値を計算する。
【００２１】
更に生体情報測定部１１１は、時刻取得手段３６１を備えている。時刻取得手段３６１は、リアルタイムクロックを利用した時刻管理機能である。時間取得手段３６１が時刻取得要求を受信すると現在時間を年月日時分が判別できる形式で返信する。また、時刻管理機能は、システムクロックを利用したカウンタから求めたカウント値を時刻変換することでも実現が可能である。演算回路３６０は、血糖値の計算終了後に時刻取得手段３６１に対して時刻取得要求を送信する。そして、時刻取得要求の返信として取得した現在時刻と計算した血糖値の２個のデータを測定結果として記憶手段３７０に送信する。
【００２２】
記憶手段３７０は、受信した測定結果に対して、記憶している過去の測定結果との関連が判定できる通し番号の管理ＩＤを付加して記憶する。記憶手段３７０は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）に代表される書き換え可能なメモリで、生体情報測定器１１０の電源をＯＦＦしても、記憶したデータが消えないことが必須条件である。また記憶手段３７０は、予め記憶可能な数が決まられている。その記憶可能な数を超えた場合は、一番古い過去の測定結果を消去して新しい測定結果を記憶する。更に記憶手段３７０は、測定結果の送信指示を受信すると、指示内容に従って測定結果を第一の無線通信部１１２へ送信する。
【００２３】
なお、生体情報測定部１１１は、クロマト試験片上に血液を点着した時のクロマト展開を利用して、抗原抗体反応を光学的に検出する方式を利用した免疫測定を行うものでも良いし、試験片２１０を利用しない非侵襲の測定方法を利用した測定を行うものでも良い。
【００２４】
第一の無線通信部１１２は、Ｂｌｕｅｔｏｏｔｈ（登録商標）、ＵＷＢ（Ｕｌｔｒａ  Ｗｉｄｅ  Ｂａｎｄ）、ＺｉｇＢｅｅ、Ｗｉｂｒｅｅに代表される規格化された方法で実現しても良いし、各国毎に定められた使用可能な周波数帯を利用した独自方式の無線通信を用いた方法で実現したのでも良い。本実施形態においてはＢｌｕｅｔｏｏｔｈ（登録商標）を用いた方法で構成する。
【００２５】
第一の無線通信部１１２は、外部から機器検索コマンドであるＩｎｑｕｉｒｙを受け取ると、生体情報測定器１１０で割り振られた識別アドレスと、生体情報測定器１１０を示すデバイス名を返信する。Ｂｌｕｅｔｏｏｔｈ（登録商標）においては、ＬＭＰ（Ｌｉｎｋ  Ｍａｎａｇｅｒ  Ｐｒｏｔｏｃｏｌ）によって、識別アドレスとデバイス名をＩｎｑｕｉｒｙしてきた器機との間でやり取りされる。識別アドレス保持部１１３に対して、識別アドレスの取得要求を送信する。また、デバイス保持部１１４に対してデバイス名の取得要求を送信してデバイス名を取得する。更に第一の無線通信部１１２は、外部から接続要求コマンドであるｃｏｎｎｅｃｔを受け取ると、Ｂｌｕｅｔｏｏｔｈ（登録商標）の規格に従って接続を確立する。接続後は、対応したＢｌｕｅｔｏｏｔｈ（登録商標）の通信プロファイルで通信を実現する。接続後は、少なくとも受信したコマンドを測定器制御部１１６へ送信と、また、受信した測定結果を接続相手へ送信と、受信したデバイス名測定結果を接続相手へ送信と、未対応コマンドであることを接続相手へ送信と、を実行する。
【００２６】
第一の無線通信部１１２を、独自方式の無線通信を用いた方法で実現する場合は、機器検索コマンドに対応したプロトコル部分と、接続要求コマンドに対応したプロトコル部分と、接続後の通信のプロトコル部分と、を実現する方法を作成する必要がある。
【００２７】
識別アドレス保持部１１３は、少なくとも一度は書き込みが可能な記憶手段を備えている。識別アドレス保持部１１３の記憶手段は、ＥＥＰＲＯＭ、あるいはＦＬＡＳＨ  ＲＯＭである。生体情報測定器１１０の出荷時において、識別アドレス保持部１１３の記憶手段に生体情報測定器１１０に割り振られた識別アドレスの書き込みを完了しておく。生体情報測定器１１０の出荷後は、識別アドレスを書き換える必要性はない。さらに識別アドレス保持部１１３は、第一の無線通信部１１２から識別アドレスの取得要求を受信した場合に、識別アドレス保持部１１３の記憶手段から識別アドレスを取得して第一の無線通信部１１２へ送信する。
【００２８】
デバイス名保持部１１４は、２個のデバイス名を管理する。そのため、２個のデバイス名を記憶可能な記憶手段を備えている。２個のデバイス名のうち１個のデバイス名は、固定値の初期デバイス名である。もう１個のデバイス名は、変更可能なユーザデバイス名である。
【００２９】
初期デバイス名は、少なくとも同じ型番で製造された生体情報測定器１１０において共通に設定される。また、ユーザデバイス名は、生体情報測定器１１０であることを示す共通の測定器識別コードと、この生体情報測定器１１０の使用者を示す固有の使用者識別コードと、この生体情報測定器１１０の使用者名と、の少なくとも３種類の組み合わせにおけるデバイス名命名規則に対応している。測定器識別コードと使用者識別コードは、それぞれ所定のデータ長に固定した上で、英数字を用いて表現する。使用者識別コードは、病院における患者ＩＤとする。測定器識別コードを設けることで、ユーザデバイス名から生体情報測定器１１０か否かを判断するのに使用可能である。また、使用者識別コードと使用者名を設けることで、同じ使用者名が存在した場合に判別が可能となる。
【００３０】
以上の２個のデバイス名と生体情報測定器の関係を示した例を表１に示す。Ｎｏ．１〜Ｎｏ．３の３個の生体情報測定器において、それぞれ２個のデバイス名を表す。初期デバイス名は、生体情報測定器において共通であるため全て「ＧｌｕｃｏｓｅＭｅｔｅｒ」とする。ユーザデバイス名はそれぞれの生体情報測定器で異なるが、ユーザデバイス名の測定器識別コードは共通であるため全ての測定器識別コードは「ＧＭ」とする。
【００３１】
【表１】
2010069193.tif 000003
【００３２】
２個のデバイス名を記憶する記憶手段について説明する。初期デバイス名は、書き換えが必要ないため、書き換え可能な記憶媒体を使用せずに、書き換えができないＲＯＭ領域に予め格納しておいたのでも良い。また、ユーザデバイス名は、書き換えが必要なため、ＥＥＰＲＯＭのような書き換え可能な記憶媒体を使用する。この時、ユーザデバイス名の管理に必要な領域は、１０数バイト〜１００バイト以内で良い。しかし、ユーザデバイス名の最大データ長が１００バイト以上必要だと想定される場合は、その最大データ長に応じた領域を確保しておく。
【００３３】
デバイス名保持部１１４は、第一の無線通信部１１２からデバイス名の取得要求を受信した場合に、２個のデバイス名から１個を選択して、選択したデバイス名を第一の無線通信部１１２へ返信する。２個のデバイス名から１個を選択する方法は、ユーザデバイス名が設定されていれば、ユーザデバイス名をデバイス名とし、ユーザデバイス名が何も設定されていなければ、初期デバイス名をデバイス名とする。
【００３４】
測定器制御部１１６は、第一の無線通信部１１２から受信したコマンドを受け取ると、受信したコマンドに対してコマンド解析をする。次に、コマンド解析の結果から各処理を実行する。
【００３５】
最初にコマンドについて説明する。コマンドの構成を図４に示す。コマンドフォーマット４００は、コマンド識別子４１０とコマンドパラメータ４２０との組み合わせで構成される。コマンド識別子４１０は、数バイトの固定データ長でコマンド毎に割り振られたキャラクタコードを設定する。コマンドパラメータ４２０は、可変長のデータでコマンド毎に必要なパラメータを設定する。パラメータを必要としないコマンドの場合は、コマンドパラメータを設定しない。また、コマンドは少なくとも測定結果要求コマンド４０１とデバイス名変更コマンド４０２との２個が存在する。例えば、コマンド識別子４１０が２バイトの固定長の場合で説明する。測定結果要求コマンド４０１は、コマンド識別子４１１の「ＲＤ」と、コマンドパラメータ４２１の測定結果要求パラメータで構成され、デバイス名変更コマンド４０２は、コマンド識別子４１２の「ＣＨ」と、コマンドパラメータ４２２のデバイス名で構成される。測定結果要求パラメータは、測定結果の送信内容を指定しており、記憶している測定結果を全て送信と、最新の測定結果のみ送信と、送信していない測定結果のみ送信と、の少なくとも３種類を分類可能なパラメータで、１バイトのアスキーコードで設定する。
【００３６】
次にコマンド解析と各処理について説明する。コマンド解析は、コマンドフォーマット４００のコマンド識別子４１０が対応している内容であるか否かを解析する。各処理は、コマンド解析の結果からコマンド毎の処理を実行する。コマンド解析の結果から受信したコマンドが測定結果要求コマンド４０１であると、生体情報測定部１１１に対して、測定結果要求パラメータ４２１と共に測定結果の送信指示を送信する。
【００３７】
また、コマンド解析の結果から受信したコマンドがデバイス名変更コマンドであると、デバイス名変更部１１５に対して、パラメータであるデバイス名４２２と共にデバイス名の変更指示を送信する。そして、デバイス名変更部１１５からのデバイス名変更結果の返信を待つ。測定器制御部１１６は、デバイス名変更部１１５からデバイス名変更結果を受け取ると、第一の無線通信部１１２に対して、デバイス名変更結果を送信する。一方、コマンド解析の結果から受信したコマンドが未対応コマンドであると、第一の無線通信部１１２に対して、未対応コマンドであることを送信する。
【００３８】
デバイス名変更部１１５は、デバイス名の変更指示を受信すると、デバイス名の変更指示と同時に受け取った新しいデバイス名が、デバイス名命名規則に対応しているか否かを確認する。デバイス名命名規則に対応していない場合は、測定器制御部１１６に対してデバイス名変更結果としてエラーを送信する。デバイス名命名規則に対応している場合は、デバイス保持部１１４のユーザデバイス名に関する記憶領域を全て初期化した後、ユーザデバイス名を記憶する。そして、測定器制御部１１６に対してデバイス名変更結果として正常に変更できたことを送信する。以上が、生体情報測定器１１０についての説明である。
【００３９】
次に携帯型データ収集器１２０について説明をする。第二の無線通信部１２１は、生体情報測定器１１０の第一の無線通信部１１２と通信が可能な無線通信機能を備える。無線通信機能は、第一の無線通信部１１２と同様に、Ｂｌｕｅｔｏｏｔｈ（登録商標）、ＵＷＢ、ＺｉｇＢｅｅ、Ｗｉｂｒｅｅに代表される規格化された方法で実現しても良いし、各国毎に定められた使用可能な周波数帯を利用した独自方式の無線通信を用いた方法で実現したのでも良い。ただし、第一の無線通信部１１２と同様の方式を採用する。第二の無線通信部１２１と第一の無線通信部１１２との間の無線通信は、携帯型データ収集器１２０がマスターで生体情報測定器１１０がスレーブとなって無線通信を行なう。
【００４０】
携帯型データ収集器１２０の表示部２２０は、ドットマトリクス式のディスプレイで構成される。表示部２２０は、受信した表示内容をディスプレイ上に表示する。また、ユーザ入力部１２６は、複数のプッシュ式のボタンで構成される。入力受け付け開始指示を受信すると、ボタンの入力を検出する。ボタンの入力を検出すると、ユーザが入力したボタンの内容に応じた処理をする。複数のボタンの入力の組み合わせから、入力が完了したことを検出すると、入力受け付け開始指示を送信した相手へ入力された値を返信する。また、入力された値を表示内容として表示部２２０へ送信する。ユーザ入力部１２６は、表示部２２０と一体化されたタッチパネル式の入力部でも良い。その場合には、表示部２２０にタッチパネル用のセンサを更に備える。
【００４１】
デバイス名管理部１２２は、書き換え可能な記憶用の領域を備えている。記憶用の領域は、ＨＤＤ（Ｈａｒｄ  Ｄｉｓｃ  Ｄｒｉｖｅ）、あるいはＦｌａｓｈ  ＲＯＭ、あるいはＥＥＰＲＯＭなどによって確保される。また、ＳＤカードに代表される取り外し可能なメモリ上に確保したのでも良い。その場合は、使用するメモリにアクセスするための専用インターフェースを携帯型データ収集器１２０に備える必要がある。また、デバイス名管理部１２２は、デバイス名の管理に既存のデータベースを使用したのでも良い。データベースを利用した場合には、デバイス名の管理が高速に実行されるが、携帯型データ収集器内に設けられているメモリを多く使用するため、全体のメモリ使用容量などからデータベースを利用するかどうかを判断すると良い。
【００４２】
図５に一つのデバイス名に対するデバイス名管理データ５００を示す。デバイス名管理データ５００は、デバイス名データ５１０と、そのデバイス名データ５１０に関連付けをする識別アドレスデータ５２０と、で構成される。
【００４３】
次に、デバイス名管理データ５００の詳細な内容について説明する。デバイス名データ５１０は、ユーザデバイス名５１２と、識別アドレスデータ５２０を示す識別アドレス情報ＩＤ５２１と、登録日時５１３と、照会日時５１４と、の４個の要素に、デバイス名管理部１２２が管理する用のＩＤであるデバイス名管理ＩＤ５１１を付けた５個の要素で構成される。登録日時５１３と照会日時５１４は、携帯型データ収集器１２０内の時計機能から年月日と時分までのデータを取得して設定する。そのため、携帯型データ収集器１２０は、リアルタイムクロックあるいは、システムクロック計算して求める、現在時間を測定可能な時計機能を備えている。
【００４４】
識別アドレスデータ５２０は、デバイス名管理ＩＤ５１１と、識別アドレスの登録数である登録数５２２と、登録数５２２に対応した複数個の識別アドレス５２３、の３個の要素に、デバイス名データ５１０と関連付けるためのＩＤである識別アドレス情報ＩＤ５２１を付けた４個の要素で構成される。
【００４５】
デバイス名管理データ５００をデバイス名データ５１０と識別アドレスデータ５２０で構成することによって、ユーザデバイス名５１２に対して複数個の識別アドレス５２３を管理することが可能になる。その結果、使用者が複数個の生体情報測定器を所有している場合や、生体情報測定器の故障や新機種への変更によって生体情報測定器を変更した場合の対応が可能となる。
【００４６】
デバイス名管理部１２２は、データ収集器制御部１２５からデバイス名の管理指示と管理するデータを受信した場合に、デバイス名管理処理を実行する。管理するデータは、ユーザデバイス名と識別アドレスとの２個のデータで構成される。また、図６にデバイス名管理処理のフローを示す。デバイス名管理処理は、ユーザデバイス名を検索するステップＳ６０１と、デバイス名の存在有無を確認するステップＳ６０２と、デバイス名管理データ５００を作成するステップＳ６０３と、デバイス名管理データ５００を記憶するステップＳ６０４と、管理指示結果を返信するステップＳ６０５と、識別アドレスの一致有無を確認するステップＳ６０６と、デバイス名管理データ５００を更新するステップＳ６０７と、で構成される。
【００４７】
以下に、デバイス名管理処理の内容について説明する。ユーザデバイス名を検索するステップＳ６０１は、デバイス名管理部１２２が管理しているデバイス名管理データ５００のユーザデバイス名５１２から、管理指示があったデバイス名と一致しているのを検索する。
【００４８】
デバイス名の存在有無を確認するステップＳ６０２は、ステップＳ６０１において検索した結果から、一致したデータの存在の有無で処理を分岐する。一致するデータの存在が無い場合は、デバイス名管理データ５００を作成するステップＳ６０３へと移行する。一致するデータの存在が有る場合は、識別アドレスの一致有無を確認するステップＳ６０６へと移行する。
【００４９】
デバイス名管理データ５００を作成するステップＳ６０３は、管理するデータから、新たにデバイス名管理データ５００を作成する。作成後、デバイス名管理データ５００を記憶するステップＳ６０４へと移行する。
【００５０】
識別アドレスの一致有無を確認するステップＳ６０６は、ステップＳ６０２で一致を確認したユーザデバイス名５１２から関連する識別アドレス情報ＩＤ５２１を取得して、識別アドレス５２３を抽出する。その抽出した識別アドレス５２３が、管理指示があった識別アドレスと一致するデータの存在有無を判断して、一致するデータの存在が無い場合は、デバイス名管理データ５００を更新するステップＳ６０７へと移行する。一致するデータの存在が有る場合は、デバイス名管理処理は例外終了したとして、管理指示結果を返信するステップＳ６０５へと移行する。
【００５１】
デバイス名管理データ５００を更新するステップＳ６０７は、ステップＳ６０１で検索されたユーザデバイス名５１２のデバイス名管理データ５００を更新する。デバイス名管理データ５００の更新は、デバイス名管理データ５００の識別アドレスデータ５２０の登録数５２２を変更して、管理指示があった識別アドレスを識別アドレス５２３に追加する。更新後、デバイス名管理データ５００を記憶するステップＳ６０４へと移行する。
【００５２】
デバイス名管理データ５００を記憶するステップＳ６０４は、ステップＳ６０３で作成されたデバイス名管理データ５００、あるいはステップＳ６０７で更新されたデバイス名管理データ５００を、記憶用の領域に記憶する。記憶が正常終了した場合は、デバイス名管理処理は正常終了したとして、管理指示結果を返信するステップＳ６０５へと移行する。記憶が異常終了した場合は、デバイス名管理処理は異常終了したとして、管理指示結果を返信するステップＳ６０５へと移行する。
【００５３】
管理指示結果を返信するステップＳ６０５は、デバイス名管理処理の処理結果を示す管理指示結果をデータ収集器制御部１２５へ返信する。管理指示結果は、正常終了、あるいは異常終了、あるいは例外終了のいずれか一つである。それぞれの管理指示結果には、パラメータを付加する。正常終了のパラメータは、記憶したデバイス名管理ＩＤである。異常終了のパラメータは、その異常終了の原因を示すＩＤである。例外終了のパラメータは例外終了を示すＩＤである。以上が、デバイス名管理処理の内容である。
【００５４】
またデバイス名管理部１２２は、データ収集器制御部１２５からデバイス名の参照指示と参照するデータ受け取った場合に、デバイス名参照処理を実行する。参照するデータは、ユーザデバイス名と識別アドレスとの２個のデータで構成される。デバイス名参照処理は、デバイス名管理部１２２が管理しているデバイス名管理データ５００から、参照するデータと一致するユーザデバイス名５１２と識別アドレス５２３を検索して、参照処理結果をデータ収集器制御部１２５へ返信する。
【００５５】
参照処理結果は、ユーザデバイス名５１２と識別アドレス５２３の両方が一致した全一致と、ユーザデバイス名５１２のみ一致したユーザデバイス名一致と、識別アドレス５２３のみ一致した識別アドレス一致と、ユーザデバイス名５１２と識別アドレス５２３のどちらも一致しない不一致と、の４種類を分類する必要がある。
【００５６】
データ管理部１２３は、書き換え可能な記憶用の領域を備えている。記憶用の領域は、ＨＤＤ、あるいはＦｌａｓｈ  ＲＯＭ、あるいはＥＥＰＲＯＭなどによって確保される。また、ＳＤカードに代表される取り外し可能なメモリ上に確保したのでも良い。その場合は、使用するメモリにアクセスするための専用インターフェースを携帯型データ収集器１２０に備える必要がある。また、デバイス名管理部１２２は、デバイス名の管理に既存のデータベースを使用したのでも良い。データベースを利用した場合には、デバイス名の管理が高速に実行されるが、携帯型データ収集器内に設けられているメモリを多く使用するため、全体のメモリ使用容量などからデータベースを利用するかどうかを判断すると良い。また、デバイス名管理部１２２と共用可能な部分は共用すると良い。また、図７に一つのデバイス名に対する測定結果管理データ７００を示す。測定結果管理データ７００は、デバイス測定結果データ７１０と、そのデバイス測定結果データ７１０に関連付けをする測定結果データ７２０と、で構成される。次に、測定結果管理データ７００の詳細な内容について説明する。
【００５７】
デバイス測定結果データ７１０は、一つのデバイス名に対して測定結果情報を関連付けたデータである。デバイス測定結果データ７１０は、デバイス名管理ＩＤ５１１と、生体情報測定器１１０の測定結果を示す測定結果情報ＩＤ７２１と、の２個の要素に、データ管理部１２３が管理する用のＩＤであるデータ管理ＩＤ７１１を付けた３個の要素で構成される。
【００５８】
測定結果データ７２０は、受信した測定結果を管理したデータである。測定結果データ７２０は、データ管理ＩＤ７１１と、管理する測定結果の数である測定結果数７２２と、測定結果数７２２に対応した複数個の測定結果７２３、の３個の要素に、デバイス測定結果データ７１０と関連付けるためのＩＤである測定結果情報ＩＤ７２１を付けた４個の要素で構成される。
【００５９】
デバイス測定結果データ７１０をデバイス測定結果データ７１０と測定結果データ７２０とで構成することで、一つのデバイス名に対して複数の測定結果７２３が管理できる。そのため、同じデバイス名における測定結果７２３を管理する場合は、測定結果数７２２の更新と測定結果７２３を追加したので良い。また、生体情報測定器１１０の識別アドレスから検索されたデバイス名管理ＩＤ５１１を利用して、測定結果７２３を検索することが可能になる。
【００６０】
またデータ管理部１２３は、データ管理処理を要する。データ管理処理は、データ収集器制御部１２５からデータ管理指示とデータ管理用のデータを受信すると実行する。データ管理用のデータは、デバイス名管理ＩＤ５１１と管理したい測定結果である。管理したい測定結果は同時に複数個存在しても良い。同時に複数個存在するために、管理したい測定結果は、管理したい測定結果の数とその数に対応した測定結果と、の２個の要素で構成すると良い。
【００６１】
データ管理処理は、管理している測定結果管理データ７００からデータ管理用のデータのデバイス名管理ＩＤに一致するデバイス名管理ＩＤ５１１が存在するか否かを検索する。検索した結果、一致するデバイス名管理ＩＤ５１１が存在しない場合は、新規に測定結果管理データ７００を作成して記憶用の領域に記憶する。一致するデバイス名管理ＩＤ７１１が存在した場合は、測定結果データ７２０を更新して記憶用の領域に記憶する。
【００６２】
コマンド生成部１２４は、無線通信の中で生体情報測定器１１０に指示を送るためのコマンドを生成する。生成可能なコマンドは少なくとも２個である。２個のコマンドは、前述したデバイス名変更コマンド４０２と測定結果要求コマンド４０１である。コマンド生成部１２４は、各コマンドの生成部であるデバイス名変更コマンド生成部１２７と測定結果要求コマンド生成部１２８を備える。更に、デバイス名を設定するために、コマンド生成部１２４はユーザ入力部１２６と接続する。
【００６３】
コマンド生成部１２４は、データ収集器制御部１２５からデバイス名変更指示を受信すると、デバイス名変更コマンド生成部１２７に実行指示を送信する。また、データ収集器制御部１２５から測定結果要求指示を受信すると、測定結果要求コマンド生成部１２８に実行指示を送信する。
【００６４】
デバイス名変更コマンド生成部１２７は、コマンド生成部１２４から実行指示を受信すると、ユーザ入力部１２６へ入力受け付け開始指示を送信する。そして、ユーザ入力部１２６から入力された値の受信待ちを行なう。ユーザ入力部１２６から入力された値を受信すると、デバイス名命名規則に適合しているか否かの確認をする。デバイス名命名規則に適合している場合は、コマンドパラメータ４２０にユーザ入力部１２６から受け取った値を設定する。また、コマンド識別子４１０にデバイス名変更コマンド４０２を示す“ＣＨ”を設定する。以上によって、デバイス名変更コマンド４０２を生成する。デバイス名命名規則に適合していない場合は無視する。また、生成したデバイス名変更コマンド４０２を、第二の無線通信部１２１へ送信して、第二の無線通信部１２１から生体情報測定器１１０へ送信する。
【００６５】
測定結果要求コマンド生成部１２８は、コマンド生成部１２４から実行指示を受信すると、ユーザ入力部１２６へ入力受け付け開始指示を送信する。そして、ユーザ入力部１２６から入力された値の受信待ちを行なう。ユーザ入力部１２６から入力された値を受信すると、受信した値をコマンドパラメータ４２０に結果要求パラメータ４２１として設定する。それによって、測定結果の送信方法をユーザが任意で設定できる。また、コマンド識別子４１０に測定結果要求コマンド４０１を示す“ＲＤ”を設定する。以上によって、測定結果要求コマンド４０１を生成する。また、測定結果要求コマンド４０１を、第二の無線通信部１２１へ送信して、第二の無線通信部１２１から生体情報測定器１１０へ送信する。
【００６６】
データ収集器制御部１２５は、第一の無線通信部１２１から受信した生体情報測定器１１０のデバイス名と識別アドレスとを受信すると処理を開始する。図８にデータ収集器制御部１２５のフローを示す。データ収集器制御部１２５は、デバイス名を解析するステップＳ８０１と、デバイスを選択するステップＳ８０２と、解析別処理へ分岐するステップＳ８０３と、変更モードを実行するステップＳ８０４と、測定結果取得モードを実行するステップＳ８０５と、測定結果を確認するステップＳ８０６と、測定結果を管理するステップＳ８０７と、警告モードＳ８０８と、で構成される。
【００６７】
デバイス名を解析するステップＳ８０１は、デバイス名管理部１２２と連携して、受信したデバイス名と識別アドレスとから解析を実施する。図９にデバイス名を解析するステップＳ８０１のさらに詳細な処理フローを示す。デバイス名を解析するステップＳ８０１は、デバイス名を確認するステップＳ９０１と、デバイス名及び識別アドレスの登録を確認するステップＳ９０２と、判別フラグを設定するステップＳ９０３と、で構成される。
【００６８】
以下に、デバイス名解析の内容について説明する。デバイス名を確認するステップＳ９０１は、受信したデバイス名が、初期デバイス名であるか否かを確認する。初期デバイス名である場合は、受信したデバイス名は初期デバイス名としてステップＳ９０２へと移行する。また、初期デバイス名でない場合は、更に受け取ったデバイス名がデバイス名命名規則に対応しているか否かを確認する。デバイス名命名規則に対応している場合は、受信したデバイス名はユーザデバイス名としてステップＳ９０２へと移行する。デバイス名命名規則に対応していない場合は、未対応デバイス名としてステップＳ９０３へと移行する。以上のステップＳ９０１によって、初期デバイス名か、ユーザデバイス名か、未対応デバイス名か、を判別する。
【００６９】
デバイス名及び識別アドレスの登録を確認するステップＳ９０２では、データ収集器制御部１２５がデバイス名管理部１２２にデバイス名の参照指示と参照するデータを送信し、データ収集器制御部１２５は、デバイス名管理部１２２からの参照処理結果を受信する。参照処理結果は、次の通りである。デバイス名は登録有りで且つ識別アドレスも登録有りの場合に全一致。デバイス名は登録有りで且つ識別アドレスは登録無しの場合はユーザデバイス名一致。デバイス名は登録無しで且つ識別アドレスは登録有りの場合は識別アドレス一致。デバイス名は登録無しで且つ識別アドレスも登録無しの場合は不一致。なお、受信したデバイス名が初期デバイス名の場合には、初期デバイス名がデバイス名管理部１２２で管理されていないため、デバイス名の登録有りという結果にはならない。
【００７０】
判別フラグを設定するステップＳ９０３は、ステップＳ９０１とステップＳ９０２で判別した結果を判別フラグに設定する。表２にその判別フラグの設定を示す。判定フラグの設定値は全部で７通り存在し、７通りを分類可能な値である。
【００７１】
判定フラグが“１”に設定される場合は、ステップＳ９０１においてデバイス名が未対応と判定された場合である。
【００７２】
判定フラグが“２”に設定される場合は、デバイス名が初期デバイス名で、且つそのデバイス名が登録無しで、且つ識別アドレスが登録無しの場合である。
【００７３】
判定フラグが“３”に設定される場合は、デバイス名が初期デバイス名で、且つそのデバイス名が登録無しで、且つ識別アドレスが登録有りの場合である。
【００７４】
判定フラグが“４”に設定される場合は、デバイス名がユーザデバイス名で、且つそのデバイス名が登録有りで、且つ識別アドレスが登録無しの場合である。
【００７５】
判定フラグが“５”に設定される場合は、デバイス名がユーザデバイス名で、且つそのデバイス名が登録有りで、且つ識別アドレスが登録有りの場合である。
【００７６】
判定フラグが“６”に設定される場合は、デバイス名がユーザデバイス名で、且つそのデバイス名が登録無しで、且つ識別アドレスが登録無しの場合である。
【００７７】
判定フラグが“７”に設定される場合は、デバイス名がユーザデバイス名で、且つそのデバイス名が登録無しで、且つ識別アドレスが登録有りの場合である。
【００７８】
【表２】
2010069193.tif 000004
【００７９】
デバイス名を解析するステップＳ８０１は、解析終了後、受信したデバイス名と識別アドレスを表示内容として表示部２２０へ送信する。判定フラグが“１”で未対応デバイス名の場合は、表示部２２０へ送信しない。更に、ステップＳ８０１は、第一の無線通信部１２１から受信した生体情報測定器１１０のデバイス名と識別アドレスとを受信した数だけ実行する。つまり、携帯型データ収集器１２０から無線通信で検索できた生体情報測定器１１０の数だけステップＳ８０１を実施する。表示部２２０は、ステップＳ８０１の解析結果の数だけデバイス名と識別アドレスとを表示する。
【００８０】
デバイスを選択するステップＳ８０２は、ユーザ入力部１２６へ入力受け付け開始指示を送信する。ユーザ入力部１２６は、表示部２２０にステップＳ８０１で表示されたデバイス名を選択可能とする。ユーザ入力部１２６から選択されたデバイス名の値を受信すると、選択されたデバイス名の生体情報測定器１１０と第二の無線通信部１２１は通信を確立する。そして、解析別処理へ分岐するステップＳ８０３を実行する。
【００８１】
解析別処理へ分岐するステップＳ８０３は、ステップＳ８０２で受信した選択されたデバイス名の判別フラグの値から実行する処理を分岐する。判別フラグの値が“１”の場合は、デバイス名が未対応のものであるため無視する。判別フラグの値が“２”の場合は、変更モードを実行するステップＳ８０４へと移行する。判別フラグの値が“４”から“６”の場合は、測定結果取得モードを実行するステップＳ８０５へと移行する。判別フラグの値が“３”あるいは“７”の場合は、警告モードを実行するステップＳ８０８へと移行する。
【００８２】
変更モードを実行するステップＳ８０４は、データ収集器制御部１２５からコマンド生成部１２４へデバイス名変更指示を送信する。その後、生体情報測定器１１０から返信されるデバイス名変更の結果を待つ。第二の無線通信部１２１からデバイス名変更の結果を受信すると、正常にデバイス名の変更ができた否かを確認する。正常にデバイス名の変更ができていた場合は、測定結果取得モードを実行するステップＳ８０５へと移行する。正常にデバイス名の変更ができていない場合は、ステップＳ８０４を再実行する。再実行は最大で三回までとする。
【００８３】
測定結果取得モードを実行するステップＳ８０５は、データ収集器制御部１２５からコマンド生成部１２４へ測定結果要求指示を送信する。そして、測定結果を確認するステップＳ８０６へと移行する。
【００８４】
測定結果を確認するステップＳ８０６は、生体情報測定器１１０から送信されるステップＳ８０５の実行結果である測定結果の受信待ちを実行する。予め指定した時間内に第二の無線通信部１２１から測定結果が受信されない場合は、正常に測定結果が取得できなかったとする。予め指定した時間内に第二の無線通信部１２１から測定結果を受信すると、結果を管理するステップＳ８０７を実行する。
【００８５】
結果を管理するステップＳ８０７は、測定結果を正常に受信できたので、デバイス名の管理と測定結果の管理の２個の管理を実行する。ステップＳ８０２で選択したデバイス名と識別アドレスからデバイス名管理部１２２が管理するデータを作成して、デバイス名管理部１２２へ管理指示と共に作成した管理するデータを送信する。その管理指示の結果として、デバイス名管理部から管理指示結果を受信すると、管理指示結果を解析する。解析の結果、異常終了あるいは例外終了の場合は、その時の内容を示すパラメータを表示内容として表示部２２０へ送信して、データ収集器制御部１２５は処理を終了する。解析の結果、正常終了の場合は、正常終了のパラメータからデバイス名管理ＩＤを抽出する。抽出したデバイス名管理ＩＤと受け取った測定結果からデータ管理部１２３の管理用のデータを作成して、データ管理部１２３へ作成した管理用のデータと共に管理指示を送信して、データ収集器制御部１２５は処理を終了する。
【００８６】
警告モードを実行するステップＳ８０７は、デバイス名管理部１２２に登録されている情報と生体情報測定器１１０の情報との間に注意すべき内容があるので、警告内容を表示内容として表示部２２０へ送信して、データ収集器制御部１２５は処理を終了する。以上が、携帯型データ収集器１２０についての説明である。
【００８７】
なお、携帯型データ収集器１２０は、以上の機能が備えられたＰＤＡ、ノートパソコン、あるいは携帯電話でも良く、表示デバイスと入力デバイスと無線通信デバイスを備えた携帯型端末であればこれらに限定しない。
【００８８】
次に、生体情報測定器１１０と複数の携帯型データ収集器１２０との関係による処理を説明する。図１０は、複数の携帯型データ収集器１２０にデバイス名を登録する処理を示す。２つの携帯型データ収集器１２０（携帯型データ収集器１２０ａと携帯型データ収集器１２０ｂ）と、新規に追加される１つの生体情報測定器１１０ｄが存在する場合の例を示したものである。
【００８９】
ステップＳ１００１において、携帯型データ収集器１２０ａが無線通信可能な機器を検索すると、生体情報測定器１１０ｄは、検索に対する応答として生体情報測定器１１０ｄからデバイス名を送信するステップＳ１００２を実行する。
【００９０】
デバイス名を送信するステップＳ１００２において、生体情報測定器１１０ｄは、デバイス名と識別アドレスとを携帯型データ収集器１２０ａへ送信する。生体情報測定器１１０ｄは初めて携帯型データ収集器１２０と通信を行うため、この時の生体情報測定器１１０ｄのデバイス名は、変更されていないため初期デバイス名である。
【００９１】
携帯型データ収集器１２０ａは、デバイス名を解析するステップＳ１００３を実行した後、受信したデバイス名と識別アドレスを表示部２２０に表示する。この時、生体情報測定器１１０ｄ以外の他の複数の機器から応答があった場合は、全ての機器に対してデバイス名を解析するステップＳ１００３を実行した後、表示すべき機器であれば受信したデバイス名と識別アドレスを表示部２２０に表示する。そしてデバイスを選択するステップＳ１００４を実行して、表示された内容から生体情報測定器１１０ｄを選択する。
【００９２】
デバイスを選択するステップＳ１００４において生体情報測定器１１０ｄを選択した後で、携帯型データ収集器１２０ａは、変更モードを実行するステップＳ１００５を実行する。その結果、新しいデバイス名であるユーザデバイス名をデバイス名変更コマンド４０２として生体情報測定器１１０ｄへ送信する。
【００９３】
生体情報測定器１１０ｄは、デバイス名変更コマンド４０２を受け取ると、デバイス名を変更するステップＳ１００６を実行する。その結果、生体情報測定器１１０ｄは、送信されたユーザデバイス名にデバイス名を変更する。
【００９４】
携帯型データ収集器１２０ａは、生体情報測定器１１０ｄのデバイス名の変更が正常に完了すると、次に測定結果取得モードを実行するステップＳ１００７を実行して、生体情報測定器１１０ｄから測定結果を受信する。これに対して、生体情報測定器１１０ｄは測定結果を携帯型データ収集器１２０ａに送信するステップＳ１００８を実行する。生体情報測定器１１０ｄから正常に測定結果を受信できると、更に、測定結果を管理するステップＳ１００９において、ステップＳ１００７で受信した測定結果とＳ１００５で変更したユーザデバイス名とを記憶する。
【００９５】
続いてステップＳ１０１０において、携帯型データ収集器１２０ｂが無線通信可能な機器を検索すると、生体情報測定器１１０ｄは、検索に対する応答として生体情報測定器１１０ｄからデバイス名を送信するステップＳ１０１１を実行する。
【００９６】
デバイス名を送信するステップＳ１０１１において、生体情報測定器１１０ｄは、デバイス名と識別アドレスとを携帯型データ収集器１２０ｂへ送信する。生体情報測定器１１０ｄは既に携帯型データ収集器１２０と通信を行い、デバイス名が変更されているため、この時のデバイス名は、ステップＳ１００６で変更したユーザデバイス名である。
【００９７】
携帯型データ収集器１２０ｂは、デバイス名を解析するステップＳ１０１２を実行した後、受信したデバイス名と識別アドレスを表示部２２０に表示する。この時、生体情報測定器１１０ｄ以外の他の複数の機器から応答があった場合は、全ての機器に対してデバイス名を解析するステップＳ１０１２を実行した後、表示すべき機器であれば受信したデバイス名と識別アドレスを表示部２２０に表示する。そしてデバイスを選択するステップＳ１０１３を実行して、表示された内容から生体情報測定器１１０ｄを選択する。
【００９８】
デバイスを選択するステップＳ１０１３で選択した生体情報測定器１１０ｄのデバイス名がユーザデバイス名であるため、携帯型データ収集器１２０ｂは、変更モードは実行せず、測定結果取得モードを実行するステップＳ１０１４を実行する。これに対して、生体情報測定器１１０ｄは測定結果を携帯型データ収集器１２０ｂに送信するステップＳ１０１５を実行する。生体情報測定器１１０ｄから正常に測定結果を受信できると、更に、測定結果を管理するステップＳ１０１６において、ステップＳ１０１４で受信した測定結果と受信したユーザデバイス名とを記憶する。
【００９９】
以上に説明した本実施の形態１の生体情報収集システムは、生体情報測定器１１０が、携帯型データ収集器１２０からデバイス名変更コマンドを受信すると、この生体情報測定器１１０のデバイス名を設定するデバイス名変更部１１５を備え、測定した生体情報と変更したデバイス名とを関連付けて携帯型データ収集器１２０に送信するようにしたので、利便性が向上する。
【０１００】
つまり、生体情報測定器１１０のデバイス名をデバイス名命名規則に従ったユーザデバイス名に設定することで、生体情報測定器１１０を生体情報収集システム１００の使用者が判別することができるため、目的の生体情報測定器１１０を容易に特定することが出来るのである。。
【０１０１】
更に本実施の形態１の生体情報収集システムは、携帯型データ収集器１２０が無線通信可能な機器の検索結果として、ユーザデバイス名が携帯型データ収集器１２０の表示部２２０に表示され、表示されたリストから接続したい生体情報測定器１１０が選択されるため、生体情報収集システムの使用者が望む生体情報測定器１１０から測定結果である生体情報を取得できる。
【０１０２】
更に本実施の形態１の生体情報収集システムは、新たに追加される生体情報測定器１１０のデバイス名を、最初に接続した携帯型データ収集器１２０でユーザデバイス名に変更して、次に接続する携帯型収集器１２０はその変更されたユーザデバイス名を使用することで、複数の携帯型データ収集器１２０の間で、登録されたデバイス名（ユーザデバイス名）をもとに目的の生体情報測定器を特定することができる。
【産業上の利用可能性】
【０１０３】
本発明にかかる生体情報収集システムは、目的の生体情報測定機器を容易に特定することが出来る特徴を有し、複数の生体情報測定器と複数の携帯型データ収集器が混在した環境で利用される際に有用である。
【図面の簡単な説明】
【０１０４】
【図１】本発明の実施の形態１における生体情報収集システムのブロック図
【図２】生体情報収集システムの概要を示す図
【図３】測定部の構成図
【図４】生体情報収集システムで使用するコマンドの構成図
【図５】デバイス名管理データの構成図
【図６】デバイス名管理処理のフローチャート
【図７】測定結果管理データの構成図
【図８】データ収集器制御部のフローチャート
【図９】デバイス名解析のフローチャート
【図１０】生体情報収集システムのデバイス名登録のフローチャート
【符号の説明】
【０１０５】
１１０、１１０ａ、１１０ｂ、１１０ｃ、１１０ｄ  生体情報測定器
１１１  生体情報測定部
１１２  第一の無線通信部
１１３  識別アドレス保持部
１１４  デバイス名保持部
１１５  デバイス名変更部
１１６  測定器制御部
１２０、１２０ａ、１２０ｂ  携帯型データ収集器
１２１  第二の無線通信部
１２２  デバイス名管理部
１２３  データ管理部
１２４  コマンド生成部
１２５  データ収集器制御部
１２６  ユーザ入力部
１２７  デバイス名変更コマンド生成部
１２８  測定結果要求コマンド生成部
２００  表示部
２０１  ユーザ入力部
２１０  試験片
２１１  作用極
２１２  対極
２１３  反応体
２２０  携帯型データ収集器の表示部
３２０  コネクタ
３２１、３２２  電極
３３０  演算増幅器
３３１  非反転入力端子
３３２  反転入力端子
３３３  出力端子
３４０  帰還抵抗
３５０  Ａ／Ｄ変換回路
３６０  演算回路
３６１  時刻取得手段
３７０  記憶手段
３８０  基準電位
４００  コマンドフォーマット
４０１  測定結果要求コマンド
４０２  デバイス名変更コマンド
４１０、４１１、４１２  コマンド識別子
４２０、４２１、４２２  コマンドパラメータ
５００  デバイス名管理データ
５１０  デバイス名データ
５１１  デバイス名管理ＩＤ
５１２  ユーザデバイス名
５１３  登録日時
５１４  照会日時
５２０  識別アドレスデータ
５２１  識別アドレス情報ＩＤ
５２２  登録数
５２３  識別アドレス
７００  測定結果管理データ
７１０  デバイス測定結果データ
７１１  データ管理ＩＤ
７２０  測定結果データ
７２１  測定結果情報ＩＤ
７２２  測定結果数
７２３  測定結果
【図１】
2010069193.tif 000005
【図２】
2010069193.tif 000006
【図３】
2010069193.tif 000007
【図４】
2010069193.tif 000008
【図５】
2010069193.tif 000009
【図６】
2010069193.tif 000010
【図７】
2010069193.tif 000011
【図８】
2010069193.tif 000012
【図９】
2010069193.tif 000013
【図１０】
2010069193.tif 000014